【手続補正書】
【提出日】平成24年11月2日(2012.11.2)
【手続補正１】
【補正対象書類名】特許請求の範囲
【補正対象項目名】全文
【補正方法】変更
【補正の内容】
【特許請求の範囲】
【請求項１】
電子デバイスをリサイクルするキオスクにおいて、
前記キオスクは、
ハウジングと、
前記ハウジングの外部に配置され、前記キオスクにおいてリサイクルする前記電子デバイスを識別するためのユーザインターフェースデバイスと、
前記ハウジング内に配置され、シール可能なアクセスを有し、前記電子デバイスを受け入れるための投入領域と、
前記投入領域内に配置され、前記電子デバイスをイメージ化するための複数のカメラと、
前記ハウジングの外部に配置されているディスプレイスクリーンと、
前記ハウジング内に配置され、前記複数のカメラと、前記ユーザインターフェースデバイスと、前記ディスプレイと電気通信するコンピュータとを具備し、
前記複数のカメラのうちの少なくとも１つからの少なくとも１つのイメージが、前記コンピュータにおいて解析されて、前記電子デバイスの高さ、幅、および、奥行きが決定され、
前記コンピュータは、光学式文字認識を利用して、前記電子デバイスのブランド、モデル、および、シリアル番号のうちの少なくとも１つを識別するように構成されており、
前記複数のカメラのうちの少なくとも１つからの少なくとも１つのイメージが、前記コンピュータにおいて基準イメージと比較されて、前記電子デバイスの表面の状態が決定され、
前記コンピュータが、前記電子デバイスの識別と、前記電子デバイスの表面の状態とに基づいて、前記電子デバイスに対する補償価値を決定するキオスク。
【請求項２】
前記ユーザインターフェースデバイスは、タッチスクリーンを含む請求項１記載のキオスク。
【請求項３】
前記投入領域中に配置され、前記電子デバイスに電気的な接続を提供するためのコネクタをさらに具備する請求項１記載のキオスク。
【請求項４】
前記コネクタを使用して、前記電子デバイスの操作性を決定する請求項３記載のキオスク。
【請求項５】
複数のコネクタをさらに具備する請求項１記載のキオスク。
【請求項６】
前記コンピュータは、前記電子デバイスの識別に基づいて、前記電子デバイスに関係付けられているコネクタを識別する請求項５記載のキオスク。
【請求項７】
前記電子デバイスは移動体電話機である請求項６記載のキオスク。
【請求項８】
前記電子デバイスに対する補償価値は、商品券、下取り価値、現金、およびクーポンのうちの１つの形態である請求項７記載のキオスク。
【請求項９】
電子デバイスをリサイクルする方法において、
キオスクの投入領域において、ユーザから電子デバイスを受け入れることと、
少なくとも１つのカメラを利用して、前記投入領域における前記電子デバイスをイメージ化することと、
前記電子デバイスのブランド、モデル、および、シリアル番号のうちの少なくとも１つを識別するために、光学式文字認識を実行することと、
前記電子デバイスを自動的に検査して、前記電子デバイスの表面の状態を決定することと、
前記キオスクのコンピュータを使用して、前記電子デバイスの識別と、前記電子デバイスの表面の状態とに基づいている、前記電子デバイスに対する補償価値を決定することと、
前記キオスクのディスプレイスクリーン上で、前記ユーザに前記補償価値を提案することとを含む方法。
【請求項１０】
前記提案した補償が受け入れられたときに、前記キオスク中に前記電子デバイスを保管することと、
前記電子デバイスに対するオンラインオークションを自動的に開始することとをさらに含む請求項９記載の方法。
【請求項１１】
キオスクにおいて、
リサイクルされることになるデバイスを識別するためのデバイス識別手段と、
前記デバイス識別手段に結合され、前記デバイスを自動的に受け入れて検査するためのデバイス検査手段と、
前記デバイス検査手段に結合され、前記デバイスに対する補償価値を決定するためのデバイス評価手段とを具備するキオスク。
【請求項１２】
前記デバイスは、電子デバイスである請求項１１記載のキオスク。
【請求項１３】
前記デバイス識別手段は、前記デバイスのブランドおよびモデルを選択するための対話式データ入力手段を備える請求項１２記載のキオスク。
【請求項１４】
前記対話式データ入力手段は、タッチスクリーンを含む請求項１３記載のキオスク。
【請求項１５】
前記デバイス検査手段は、カメラを備える請求項１１記載のキオスク。
【請求項１６】
前記カメラは、前記デバイスのイメージを取り込んで、それを基準イメージと比較し、前記デバイスの表面の状態を決定する請求項１５記載のキオスク。
【請求項１７】
前記デバイス検査手段は、前記デバイスに電気的な接続を提供するためのコネクタを備える請求項１６記載のキオスク。
【請求項１８】
前記コネクタを使用して、前記デバイスの操作性を決定する請求項１７記載のキオスク。
【請求項１９】
複数のコネクタをさらに具備する請求項１６記載のキオスク。
【請求項２０】
前記キオスクは、前記デバイスの識別に基づいて、前記デバイスに関係付けられているコネクタを識別する請求項１９記載のキオスク。
【請求項２１】
前記デバイスは移動体電話機である請求項２０記載のキオスク。
【請求項２２】
前記補償価値は、商品券、下取り価値、現金、およびクーポンのうちの１つの形態である請求項２１記載のキオスク。
【請求項２３】
デバイスをリサイクルする方法において、
キオスクにおいて、ユーザからデバイスを受け入れることと、
前記デバイスを自動的に識別して検査することと、
前記デバイスに対する補償価値を決定することと、
前記ユーザに前記補償価値を提案することとを含む方法。
【請求項２４】
前記提案した補償が受け入れられたときに、前記キオスク中に前記デバイスを保管することと、
前記デバイスに対するオンラインオークションを自動的に開始することとをさらに含む請求項２３記載の方法。
【手続補正２】
【補正対象書類名】明細書
【補正対象項目名】００１１
【補正方法】変更
【補正の内容】
【００１１】
この実施形態の１つの側面では、リサイクリングキオスク１００は、移動体電話機投入領域１０６と、紙幣およびバウチャーのアクセプター／ディスペンサー１０７と、カードリーダー１０４と、再生されることになる移動体電話機のための移動体電話機コレクター１１２と、リサイクルされることになる移動体電話機に対する移動体電話機受口（クイックドロップ）１０８と、（示していない）計算および通信設備とを備えている。遠隔コンピュータからの結合および遠隔コンピュータへの結合は、ワイヤードＬＡＮを、ワイヤレスＬＡＮを、あるいは、セルラまたは他の何らかのプロプライエタリ通信システムを、介するインターネットのような通信ネットワークに対する単一結合であってもよい。キオスク１００は、デバイス内に、処理手段またはコンピュータを備えていてもよい。これは、Ｌｉｎｕｘ（登録商標）またはＭＡＣ ＯＳ（登録商標）のような何らかのオペレーティングシステムを動作させる、標準的なＰＣ、または、他のタイプの組み込みコンピュータであってもよい。システムは、実行可能なアプリケーションと、テストソフトウェアと、データベースと、リサイクリングキオスクを動作するのに必要とされる他のソフトウェアとを記憶するだろう標準的なハードディスクドライブである、記憶デバイスを備えていてもよい。
【手続補正３】
【補正対象書類名】明細書
【補正対象項目名】００５２
【補正方法】変更
【補正の内容】
【００５２】
ステップ４１２Ａにおいて、ユーザには、電話機を消去する機会が与えられる。ステップ４１２Ｂおよび図５Ｊにおいて、ユーザに新しい価値が提示される。いくつかのケースでは、新しい価値はより高いものであるが、他のケースでは、より低くなることもあり、すべてはユーザにより提供された応答に依存する。この時間の間に、システムは、検査ビンの中に内蔵されているカメラを介して、電話機の自動化された検査を行ってもよい。他の例では、電話機の自動化された電子解析を達成することができるように、ユーザは、電話機をコネクタに差し込むように求められることがある。
【手続補正４】
【補正対象書類名】明細書
【補正対象項目名】００５３
【補正方法】変更
【補正の内容】
【００５３】
ステップ４１２Ｂにおいてユーザが新しい価値を受け入れた場合には、または、ステップ４０９においてユーザが受け入れた場合には、システムは、ステップ４１３においてユーザから個人情報を収集するように進む。キオスクが配置されている小売店に関係付けられている顧客ロイヤルティー番号を入力することにより、クレジット／デビットカードをマシンに通すことにより、運転免許証をマシンに通すことにより、または、図５Ｋおよび図５Ｌで示されているような、キオスクのタッチスクリーン上に提示されているキーボードを使用しての手動入力により、これを達成することができる。
【手続補正５】
【補正対象書類名】明細書
【補正対象項目名】００８５
【補正方法】変更
【補正の内容】
【００８５】
ＩＲ、可視光線、またはレーザがデバイスをスキャンして、所定のデバイスに対する熱吸収／老朽特性を導出する。この理論は、老朽特性がデバイスのメーカー／モデルごとに異なり、同じデバイス上のスキャンの方向によって変化するだろうというものである。模造品のデバイスまたは空のデバイスは、正常な特性を有していないだろう、および、即座の支払いに対して受け入れられないだろう。このケースでは、ユーザは、人間によって電話機が検査された後に支払いを受けるオプションを有している。
以下に、本願出願の当初の特許請求の範囲に記載された発明を付記する。
［１］キオスクにおいて、
リサイクルされることになるデバイスを識別するデバイス識別手段と、
前記デバイス識別手段に結合され、前記デバイスを自動的に受け取って検査するデバイス検査手段と、
前記デバイス検査手段に結合され、前記デバイスに対する補償価値を決定するデバイス評価手段とを具備するキオスク。
［２］前記デバイスは、電子デバイスである上記［１］記載のキオスク。
［３］前記デバイス識別手段は、前記デバイスのブランドおよびモデルを選択するための対話式データ入力手段を備える上記［２］記載のキオスク。
［４］前記対話式データ入力手段は、タッチスクリーンを含む上記［３］記載のキオスク。
［５］前記デバイス検査手段は、カメラを備える上記［１］記載のキオスク。
［６］前記カメラは、前記デバイスのイメージを取り込んで、それを基準イメージと比較し、前記デバイスの表面の状態を決定する上記［５］記載のキオスク。
［７］前記デバイス検査手段は、前記デバイスに電気的な接続を提供するためのコネクタを備える上記［６］記載のキオスク。
［８］前記コネクタを使用して、前記デバイスの操作性を決定する上記［７］記載のキオスク。
［９］複数のコネクタをさらに含む上記［６］記載のキオスク。
［１０］前記システムは、前記デバイスの識別に基づいて、前記デバイスに関係付けられているコネクタを識別する上記［９］記載のキオスク。
［１１］前記デバイスは移動体電話機である上記［１０］記載のキオスク。
［１２］前記補償価値は、商品券、下取り価値、現金、およびクーポンのうちの１つの形態である上記［１１］記載のキオスク。
［１３］デバイスをリサイクルする方法において、
キオスクにおいて、ユーザからデバイスを受け取ることと、
前記デバイスを自動的に識別して検査することと、
前記デバイスに対する補償価値を決定することと、
前記ユーザに前記補償価値を提案することとを含む方法。
［１４］前記提案した補償が受け入れられたときに、前記キオスク中に前記デバイスを保管することと、
前記デバイスに対するオンラインオークションを自動的に開始することとをさらに含む上記［１３］記載の方法。
【手続補正６】
【補正対象書類名】図面
【補正対象項目名】全図
【補正方法】変更
【補正の内容】
【図１】
2012504832.tif 000001
【図２】
2012504832.tif 000002
【図３】
2012504832.tif 000003
【図４】
2012504832.tif 000004
【図５Ａ】
2012504832.tif 000005
【図５Ｂ】
2012504832.tif 000006
【図５Ｃ】
2012504832.tif 000007
【図５Ｄ】
2012504832.tif 000008
【図５Ｅ】
2012504832.tif 000009
【図５Ｆ】
2012504832.tif 000010
【図５Ｇ】
2012504832.tif 000011
【図５Ｈ】
2012504832.tif 000012
【図５Ｉ】
2012504832.tif 000013
【図５Ｊ】
2012504832.tif 000014
【図５Ｋ】
2012504832.tif 000015
【図５Ｌ】
2012504832.tif 000016
【図６】
2012504832.tif 000017
【図７】
2012504832.tif 000018